(57)【要約】【課題】比較的少量のルーズリーフを綴じ込む場合にも、細身でルーズリーフとのバランスが良く使用感に優れ、収納時などに幅を取らずに製造コストをも低減させることができ、又、細身で柔軟な基体同士を、操作性よく互いに接合し綴環を閉鎖させることができるルーズリーフ綴具を提供する。【解決手段】長手方向に沿って複数の半環状綴環２１、３１がそれぞれ設けられる細長形状の第１及び第２基体２、３と、第１及び第２基体２、３の長手方向一端部において第１及び第２基体２、３を枢着する枢着機構４と、を備え、第１及び第２基体２、３が接合して半環状綴環２１、３１が互いに衝合する閉鎖状態と、半環状綴環２１、３１が開放する開放状態との間で開閉可能なルーズリーフ綴具１は、半環状綴環２１、３１は第１及び第２基体２、３のそれぞれの外側面から起立して設けられており、且つ、第１及び第２基体２、３のそれぞれの外側面２２ｂ、３２ｃは、半環状綴環２１、３１の起立部より半環状綴環２１、３１が閉鎖された際の環形状の外側に向かって延在する突出部を有する構成とする。【選択図】　　　　図６
2004042289.tif 000002
【特許請求の範囲】
【請求項１】
長手方向に沿って複数の半環状綴環がそれぞれ設けられる細長形状の第１及び第２基体と、前記第１及び第２基体の長手方向一端部において前記第１及び第２基体を枢着する枢着機構と、を備え、前記第１及び第２基体が接合して前記半環状綴環が互いに衝合する閉鎖状態と、前記半環状綴環が開放する開放状態との間で開閉可能なルーズリーフ綴具であって、
前記半環状綴環は前記第１及び第２基体のそれぞれの外側面から起立して設けられており、且つ、前記第１及び第２基体のそれぞれの外側面は、前記半環状綴環の起立部より前記半環状綴環が閉鎖された際の環形状の外側に向かって延在する突出部を有することを特徴とするルーズリーフ綴具。
【請求項２】
前記第１及び第２基体の前記突出部は前記第１及び第２基体の長手方向に連続していることを特徴とする請求項１のルーズリーフ綴具。
【請求項３】
前記第１又は第２基体のいずれか一方には、前記閉鎖状態で他方の基体の前記外側面の一方の縁部に係合する複数の係止突起が設けられることを特徴とする請求項１又は２のルーズリーフ綴具。
【請求項４】
前記第１基体は、長手方向に延在する側壁部と、該側壁部から前記第２基体に向かって延在する背部とを有し、前記第２基体は、前記閉鎖状態で長手方向に沿って前記側壁部及び前記背部のそれぞれに接触する側面を備えた長手方向に延在する基部と、前記閉鎖状態で前記側壁部の外側面の一方の縁部に係合する複数の係止突起とを備えることを特徴とする請求項１又は２のルーズリーフ綴具。
【請求項５】
前記第１及び第２基体は、前記枢着機構による前記第及び第２基体の開閉方向において可撓性を有することを特徴とする請求項１〜４のいずれかの項に記載のルーズリーフ綴具。
【請求項６】
前記第１及び第２基体を長手方向両端部から見たときの、前記第１及び第２基体の接合体の前記第１及び第２基体の開閉方向の幅をＷ、開閉方向に略直交する方向の高さをＨとしたとき、Ｗ＜Ｈの関係にあることを特徴とする請求項５のルーズリーフ綴具。
【請求項７】
前記第１及び第２基体には、前記閉鎖状態で互いに遊嵌するガイド突起又はガイド穴が設けられることを特徴とする請求項１〜６のいずれかの項に記載のルーズリーフ綴具。
【請求項８】
前記第１及び第２の基体の前記外側面には、それぞれ長手方向に延在する溝部が設けられることを特徴とする請求項１〜７のいずれかの項に記載のルーズリーフ綴具。
【請求項９】
更に、第１及び第２基体の前記外側面に設けられる前記溝部のそれぞれに滑動可能に嵌入されて、前記閉鎖状態で接合した前記第１及び第２基体を挟持する挟持部を備えた閉鎖手段を、前記ルーズリーフ綴具本体に対して着脱可能に有することを特徴とする請求項８のルーズリーフ綴具。
【請求項１０】
更に、第１及び第２基体の前記外側面に設けられる前記溝部のそれぞれに滑動可能に嵌入されて、前記閉鎖状態で接合した前記第１及び第２基体を挟持する挟持部を備えた前記ルーズリーフ綴具本体の吊設手段を、前記ルーズリーフ綴具本体に対して着脱可能に有することを特徴とする請求項８のルーズリーフ綴具。
【請求項１１】
長手方向に沿って複数の半環状綴環がそれぞれ設けられる細長形状の第１及び第２基体と、前記第１及び第２基体の長手方向一端部において前記第１及び第２基体を枢着する枢着機構と、を備え、前記第１及び第２基体が接合して前記半環状綴環が互いに衝合する閉鎖状態と、前記半環状綴環が開放する開放状態との間で開閉可能なルーズリーフ綴具であって、
前記第１及び第２基体の外側面には、それぞれ長手方向に延在する溝部が設けられ、且つ、前記第１及び第２基体のいずれか一方には、前記枢着機構とは反対側の長手方向端部において、他方の基体より長手方向に長い延長部が設けられ、
更に、前記溝部のそれぞれに滑動可能に嵌入されて、前記半環状綴環の閉鎖状態で接合した前記第１及び第２基体を挟持する挟持部を備えた閉鎖手段であって、前記閉鎖状態から前記開放状態とする際には前記延長部に移動される閉鎖手段を有することを特徴とするルーズリーフ綴具。
【請求項１２】
更に、前記延長部の端部には、該端部方向への前記閉鎖手段の滑動を妨げる抜け止め手段が設けられることを特徴とする請求項１１のルーズリーフ綴具。
【請求項１３】
前記抜け止め手段は、前記延長部の外周から外側に突出した突起であることを特徴とする請求項１２のルーズリーフ綴具。
【請求項１４】
前記突起には、前記延長部端部に向かって突出量が漸減するテーパー面が設けられることを特徴とする請求項１３のルーズリーフ綴具。
【請求項１５】
前記閉鎖手段に代えて、前記溝部のそれぞれに滑動可能に嵌入されて、前記半環状綴環の閉鎖状態で接合した前記第１及び第２基体を挟持する挟持部を備えた前記ルーズリーフ綴具本体の吊設手段であって、前記閉鎖状態から前記開放状態とする際には前記延長部に移動される吊設手段を有することを特徴とする請求項１１〜１４のいずれかの項に記載のルーズリーフ綴具。
【発明の詳細な説明】
【０００１】
【発明の属する技術分野】
本発明は、互いに衝合し得る複数の半環状綴環を備える一対の基体を長手方向一端部に設けられる枢着機構によって扇形に開閉自在としたルーズリーフ綴具に関するものである。
【０００２】
【従来の技術】
従来、プラスチックバインダー又は綴具が広く使用されている。このようなルーズリーフ綴具の使用態様として、アルバムなどにみられるように、背部のない２枚の表紙を複数のルーズリーフの表裏に添わせ、綴具の綴環を表紙とルーズリーフの綴孔に挿通して綴じる外付け方式がある。
【０００３】
又、外付け方式のルーズリーフ綴具として、長手方向に沿って複数の互いに衝合可能な半環状綴環をそれぞれ有する第１及び第２基体を、長手方向一端部において枢着して扇型に開閉可能にしたルーズリーフ綴具が使用されている。
【０００４】
このように、基体同士を長手方向一端部を中心として揺動開閉できるようにすることで、対応する綴環同士を正確に衝合させて閉鎖させるのが容易となり、ルーズリーフの差し込み、抜き取り操作性に優れている。
【０００５】
本発明者が提案した特開平９−１１８０９１号公報に記載されるルーズリーフ綴具は、複数の綴環を起立した細長い第１基板と、この第１基板の綴環に衝合する複数の綴環を起立した細長い第２基板と、これら両基板の一端に設けられて両基板を互いに枢着する枢着機構と、両基板の他端に設けられて両基板を互いにロックするためのロック機構と、を有している。このルーズリーフ綴具は、長手方向両端部からみた外形が略円形であり、背面部には背見出し板を挿入できるようになっている。
【０００６】
このルーズリーフ綴具は、ノート、帳票類などを、例えば約１００枚など、比較的多くの枚数まで随時綴じ込み枚数を増加させ得るものであり、比較的強靱に作られる。
【０００７】
【発明が解決しようとする課題】
一方、例えばカレンダー、宣伝用リーフレットなど、比較的少量のルーズリーフの綴じ込み用などのために、軽量で、棚などに保管する時にも綴環同士のぶつかり合いが少なく、且つ、任意に綴じ込み枚数、内容を変更可能なルーズリーフ綴具に対するニーズがある。
【０００８】
上記従来のルーズリーフ綴具は、外付け方式のルーズリーフ綴具として好適に使用し得るものであるが、比較的少量のルーズリーフを綴じ込むためのものとしては大型である。このような目的のためには、製造コスト、綴じ込んだルーズリーフとのバランスによる使用感、棚などに重ねて収納した際の綴環同士の干渉などを考えるとより細身のものが望まれる。
【０００９】
従って、本発明の目的は、比較的少量のルーズリーフを綴じ込む場合にも、細身でルーズリーフとのバランスが良く使用感に優れ、収納時などに幅を取らずに製造コストをも低減させうるルーズリーフ綴具を提供することである。
【００１０】
又、本発明の他の目的は、細身で柔軟な基体同士を、操作性よく互いに接合し綴環を閉鎖させることができるルーズリーフ綴具を提供することである。
【００１１】
【課題を解決するための手段】
上記目的は本発明に係るルーズリーフ綴具にて達成される。要約すれば、第１の本発明は、長手方向に沿って複数の半環状綴環がそれぞれ設けられる細長形状の第１及び第２基体と、前記第１及び第２基体の長手方向一端部において前記第１及び第２基体を枢着する枢着機構と、を備え、前記第１及び第２基体が接合して前記半環状綴環が互いに衝合する閉鎖状態と、前記半環状綴環が開放する開放状態との間で開閉可能なルーズリーフ綴具であって、前記半環状綴環は前記第１及び第２基体のそれぞれの外側面から起立して設けられており、且つ、前記第１及び第２基体のそれぞれの外側面は、前記半環状綴環の起立部より前記半環状綴環が閉鎖された際の環形状の外側に向かって延在する突出部を有することを特徴とするルーズリーフ綴具である。
【００１２】
本発明の一実施態様によると、前記第１及び第２基体の前記突出部は前記第１及び第２基体の長手方向に連続している。
【００１３】
本発明の他の実施態様によると、前記第１又は第２基体のいずれか一方には、前記閉鎖状態で他方の基体の前記外側面の一方の縁部に係合する複数の係止突起が設けられる。又、他の実施態様によると、前記第１基体は、長手方向に延在する側壁部と、該側壁部から前記第２基体に向かって延在する背部とを有し、前記第２基体は、前記閉鎖状態で長手方向に沿って前記側壁部及び前記背部のそれぞれに接触する側面を備えた長手方向に延在する基部と、前記閉鎖状態で前記側壁部の外側面の一方の縁部に係合する複数の係止突起とを備える。
【００１４】
本発明の他の実施態様によると、前記第１及び第２基体は、前記枢着機構による前記第及び第２基体の開閉方向において可撓性を有する。一実施態様では、前記第１及び第２基体を長手方向両端部から見たときの、前記第１及び第２基体の接合体の前記第１及び第２基体の開閉方向の幅をＷ、開閉方向に略直交する方向の高さをＨとしたとき、Ｗ＜Ｈの関係にある。
【００１５】
本発明の他の実施態様によると、前記第１及び第２基体には、前記閉鎖状態で互いに遊嵌するガイド突起又はガイド穴が設けられる。
【００１６】
本発明の他の実施態様によると、前記第１及び第２の基体の前記外側面には、それぞれ長手方向に延在する溝部が設けられる。そして、一実施態様では、ルーズリーフ綴具は更に、第１及び第２基体の前記外側面に設けられる前記溝部のそれぞれに滑動可能に嵌入されて、前記閉鎖状態で接合した前記第１及び第２基体を挟持する挟持部を備えた閉鎖手段を、前記ルーズリーフ綴具本体に対して着脱可能に有する。又、他の実施態様によると、ルーズリーフ綴具は更に、第１及び第２基体の前記外側面に設けられる前記溝部のそれぞれに滑動可能に嵌入されて、前記閉鎖状態で接合した前記第１及び第２基体を挟持する挟持部を備えた前記ルーズリーフ綴具本体の吊設手段を、前記ルーズリーフ綴具本体に対して着脱可能に有する。
【００１７】
第２の本発明によると、長手方向に沿って複数の半環状綴環がそれぞれ設けられる細長形状の第１及び第２基体と、前記第１及び第２基体の長手方向一端部において前記第１及び第２基体を枢着する枢着機構と、を備え、前記第１及び第２基体が接合して前記半環状綴環が互いに衝合する閉鎖状態と、前記半環状綴環が開放する開放状態との間で開閉可能なルーズリーフ綴具であって、前記第１及び第２基体の外側面には、それぞれ長手方向に延在する溝部が設けられ、且つ、前記第１及び第２基体のいずれか一方には、前記枢着機構とは反対側の長手方向端部において、他方の基体より長手方向に長い延長部が設けられ、更に、前記溝部のそれぞれに滑動可能に嵌入されて、前記半環状綴環の閉鎖状態で接合した前記第１及び第２基体を挟持する挟持部を備えた閉鎖手段であって、前記閉鎖状態から前記開放状態とする際には前記延長部に移動される閉鎖手段を有することを特徴とするルーズリーフ綴具が提供される。本発明の一実施態様によると、更に、前記延長部の端部には、該端部方向への前記閉鎖手段の滑動を妨げる抜け止め手段が設けられる。一実施態様では、前記抜け止め手段は、前記延長部の外周から外側に突出した突起である。又、前記突起には、前記延長部端部に向かって突出量が漸減するテーパー面が設けることができる。又、他の実施態様によると、前記ルーズリーフ綴具は、前記閉鎖手段に代えて、前記溝部のそれぞれに滑動可能に嵌入されて、前記半環状綴環の閉鎖状態で接合した前記第１及び第２基体を挟持する挟持部を備えた前記ルーズリーフ綴具本体の吊設手段であって、前記閉鎖状態から前記開放状態とする際には前記延長部に移動される吊設手段を有していてよい。
【００１８】
【発明の実施の形態】
以下、本発明に係るルーズリーフ綴具を図面に則して更に詳しく説明する。
【００１９】
実施例１
図１〜図３に、本発明に係るルーズリーフ綴具１の一実施例を示す。本実施例にて、ルーズリーフ綴具１は、互いに衝合可能な半環状の綴環２１、３１を、それぞれ長手方向に沿って所定間隔で複数有する細長形状の第１及び第２基体２、３を有する。
【００２０】
綴環２１、３１を有する第１及び第２基体２、３は、好ましくは、それぞれ透明、半透明又は不透明の、着色又は無着色の樹脂で一体成形される。好適に使用し得る樹脂としては例えばＡＢＳ、ＰＣ（ポリカーボネート）、ＰＰ（ポリプロピレン）などが挙げられる。本実施例にて綴環２１、３１はそれぞれ２６個とされるが、これに限定されるものではなく、例えば、２個でもよく、又、２０個、２６個或いは３０個とすることもできる。
【００２１】
又、ルーズリーフ綴具１は、第１及び第２基体２、３の長手方向一端部において第１及び第２基体２、３を開閉可能に連結する枢着機構４を備えている。第１基体２と第２基体３とは、この枢着機構４によって、第１及び第２基体２、３が接合して綴環２１、３１が互いに衝合する閉鎖状態と、綴環２１、３１が開放する開放状態との間で扇形に開閉可能とされている。図４及び図５により良く示されるように、本実施例では、枢着機構４は、第１基体２の長手一端部に一体成形された第１枢着部２６が備えた軸孔２６ａと、第２基体３の長手一端部に一体成形された第２枢着部３６が備えた軸３６ａとで構成される。軸３６ａは軸孔２６ａに摺動可能に嵌合されている。軸３６ａの長さなどによって、必要に応じて軸３６ａと軸孔２６ａとを取りはずせるように設定してもよい。
【００２２】
綴環２１、３１は断面略円形（図５）とされるが、これに限定されるものではなく、例えば楕円形、矩形などであってもよい。又、第１及び第２基体２、３の長手方向端部方向から見て、衝合した綴環２１、３１は略円形とされ、従来のものよりも薄肉に形成されている。更に、綴環２１、３１は、その先端に小突起２１ａ、３１ａ、或いはそれに対応した小穴２１ｂ、３１ｂを有する。第１基体２の綴環２１には、第１基体２の長手方向に沿って小突起２１ａ及び小穴２１ｂが交互に設けられ、第２基体３の綴環３１には、これに対応して交互に小突起３１ａ及び小穴３１ｂが設けられる。但し、これに限定されるものではなく、何れか一方の基体の綴環に小突起が、又他方の基体の綴環に小穴が設けられていてもよい。この小突起２１ａ、３１ａ、小穴２１ｂ、３１ｂによって、綴環２１、３１の正確な衝合を可能とすると共に、衝合後の綴環２１、３１の第１及び第２基体の長手方向における相対的なずれを抑制する。
【００２３】
図６〜図８をも参照して更に説明すると、本実施例では、細長形状とされる第１基体２は、長手方向に延在する側壁部２２と、この側壁部２２から第２基体３に向かって略垂直に延在する背部２３と、を備えた、長手方向に略均一な断面Ｌ字形状の部材である。一方、第２基体３は、基本的には第１基体２の側壁部２２及び背部２３との間に嵌り込む、長手方向に略均一な断面矩形形状の基部３２で構成される。
【００２４】
第１及び第２基体２、３の接合時には、第１基体２の側壁部２２の長手方向に延在する平面状の内側面（第１内側面）２２ａ、及び背部２３の長手方向に沿って延在する平面状の上面（支持面）２３ａに対して、第２基体３の基部３２の長手方向に延在する平面状の内側面（第２内側面）３２ａ、及び基部３２の長手方向に延在する平面状の底面３２ｂが接触する。
【００２５】
このように、第１及び第２基体２、３がそれぞれ２面で長手方向に沿って接触することによって、第１及び第２基体２、３が細身である場合にも、第１及び第２基体２、３の接合状態、綴環２１、３１の閉鎖状態を安定して維持することができる。
【００２６】
又、綴環２１、３１はそれぞれ、第１及び第２基体２、３の外側面、即ち、第１基体２の側壁部２２の外側面（第１外側面）２２ｂ及び第２基体３の基部３２の外側面（第２外側面）３２ｃから起立して設けられる。これにより、第１及び第２基体を細身に形成する場合にも、綴環２１、３１を閉鎖した際に適当量のルーズリーフを綴じ込むことができる綴環を形成することができる。このとき、綴環２１、３１は、第１及び第２外側面２２ｂ、３２ｃの一方の縁部２２ｃ、３２ｄ寄りから起立されており、第１及び第２外側面２２ｂ、３２ｃは、綴環２１、３１の起立部より、綴環２１、３１が閉鎖された際の環形状の外側に向かって延在する突出部を有する。そして、第１及び第２基体２、３が互いに接合した状態の接合体は、第１及び第２基体２、３を長手方向両端部方向から見たとき、綴環２１、３１の形成する（基体部分を除いて延長した）環状形状より外側に突出量ｔにて突出した突出部分Ｐを有する。
【００２７】
限定するものではないが、後述するように第１及び第２基体２、３を接合させて綴環２１、３１を閉鎖する際にこの突出部分Ｐを摘み易いように、その突出量ｔは、少なくとも綴環２１、３１の第１及び第２基材２、３からの起立部における外径以上であることが好ましい（ｔ≧ｄ）。又、同方向からみて閉鎖状態の綴環２１、３１が略円形である場合には、突出量ｔは衝合した略円形の綴環２１、３１の最大外径（基体部分を除く）の１／１０以上であることが上記同様摘み易さの点で好ましく、より好ましくは１／８以上とする。又、突出量ｔは、衝合した略円形の綴環２１、３１の外径の１／３以下であることが外観上、又使用感において好ましく、より好ましくは１／５以下とする。
【００２８】
これによって、綴環２１、３１の薄肉化して撓み、変形が起こり易くなっている場合であっても、綴環２１、３１を閉鎖する際に綴環２１、３１を押さえることなく、第１及び第２基体２、３の長手方向の任意の位置で突出部分Ｐを摘むことにより、確実に第１及び第２基体２、３を接合させることができる。
【００２９】
又、図６に示すように第１及び第２基体２、３の長手方向両端部方向から見たとき、第１及び第２基体２、３の接合体の、第１及び第２基体２、３の開閉方向の幅Ｗは、衝合して略円形の綴環２１、３１の上記最大外径の半分以下と、細身、軽量である。又、同方向から見て、幅Ｗよりも高さＨを大きくすることが好ましい（Ｈ＞Ｗ）。これにより、図９に示すように、第１及び第２基体２、３を接合して綴環２１、３１を閉鎖状態とした状態で、第１及び第２基体２、３の開閉方向における可撓性が助長される。尚、第１及び第２基体２、３の開閉時の移動面に略平行な方向、即ち、図３及び図９の紙面に略平行な方向をここでは単に開閉方向という。
【００３０】
このように第１及び第２基体２、３が可撓性を有することによって、例えばルーズリーフを綴じ込んだルーズリーフ綴具１を重ねて収納する場合などにおいて、隣り合うルーズリーフ綴具１同士の干渉を緩和し、若干の変形に対する柔軟性を付与する点で有利である。又、その柔軟性から、比較的少量のルーズリーフを綴じ込んだ場合のルーズリーフと綴具１とのバランスによる違和感を和らげる効果もある。
【００３１】
更に、例えばゴム弾性を有する材料を用いるなど、材料の選択により第１及び第２基体２、３の可撓性は如何様にも設定することができ、より柔軟なルーズリーフ綴具１は、更に手触りが良く、収納時或いは使用時に第１及び第２基体２、３を曲げても折れることがなく、又使用時の危険性を低減するといった優れた効果を奏する。
【００３２】
第１及び第２基体２、３は、開閉方向に略直交する方向にも可撓性を有していてよいが、第１及び第２基体２、３の接合状態及び綴環２１、３１の閉鎖状態の安定性を考えると、Ｈ＞Ｗの関係とすることによって開閉方向の一方向により撓み易くすることが好ましい。
【００３３】
第２基体３の上面には、第１及び第２基体２、３の接合状態、即ち、綴環２１、３１の閉鎖状態を保持するための戻り止め部材３３が、第２基体３の長手方向に沿って複数個設けられている。図７に示されるように、戻り止め部材３３は、第２基体３の基部３２の上面から、第１及び第２基体２、３の長手方向に対して略垂直に第１基体２に向かって延設される戻り止め基部３３ａの先端に、第１基体２の側壁部２２の一方の縁部に係合する係止突起３４が設けられて成る。
【００３４】
第１基体２の側壁部２２の、上記係止突起３４に対応する部位の縁部には、係止溝２４が設けられており、係止突起３４が係合した状態で側壁部２２の第１外側面２２ａと戻り止め基部３３ａの先端が同一平面となることを可能としている。
【００３５】
第１及び第２基体２、３を接合させて綴環２１、３１を閉鎖する際には、戻り止め部材３３の係止突起３４は、第１基体２の側壁部２２の上面に案内されると共に、更に両基体２、３を互いに押圧することで、弾発的に係止溝２４に係合する。これにより、第１及び第２基体２、３の接合状態、即ち、綴環２１、３１の閉鎖状態を保持することができ、不用意に閉鎖状態が解除されることはない。一方、戻り止め部材３３の係合状態は、指の力で容易に解除できる程度に、係止突起３４の先端長さ、嵌合状態の強弱により設定される。
【００３６】
係止突起２４により、第１基材２の第１外側面２２ｂの上端側縁部を掛け止めるように構成することで、係合状態の達成が比較的容易であると共に、通常使用状態で係合状態を解除しようとする、第２基体３の軸線の周りでの回転力が、第１及び第２基体２、３の上記２つの接触面（第１内側面２２ａと第２内側面３２ａ及び支持面２３ａと底面３２）によって押さえられ、安定して第１及び第２基体の接合状態を維持することができる。
【００３７】
上述の如く、本実施例では第２基体３の長手方向の複数箇所に戻り止め部材３３を設け、又第１基体２には係止突起３４に対応した係止溝２４を設けることで、最大限第１及び第２基体２、３の材料の低減を可能としているが、本発明はこれに限定されるものではない。例えば、第２基体３が本実施例における戻り止め基部３３ａを長手方向全域で有する形状として、第２基体３の長手方向の複数箇所に係止突起３４を設けることでも同様の効果を得ることができる。又、係止溝２４を省略することもできる。
【００３８】
更に、図２〜図４及び図８に示されるように、第２基体３の基部３２の第２内側面３２ａには、長手方向に沿って複数箇所にガイド突起３５が設けられている。又、第１基体２の側壁部２２には、上記ガイド突起３５に対応する位置に、第１及び第２基体２、３を接合させることでガイド突起３５と遊嵌するガイド穴２５が設けられている。本実施例では、ガイド突起３５は側壁部２２の厚さと略同一の高さの円柱状突起とされる。
【００３９】
これらガイド突起３５及びガイド穴２５は、第１及び第２基体２、３が接合していく際に、綴環２１、３１の正確な衝合を可能とすると共に、第１及び第２基体２、３の接合後には、第１及び第２基体２、３の長手方向の相対的なずれを抑制する。これらガイド突起３５及びガイド穴２５は、何れの基体に設けられていてもよい。
【００４０】
図１〜図３に示されるように、第１及び第２基体２、３の長手方向における枢着機構４とは反対側の端部（以下、「開放側端部」という。）において、第２基体３は第１基体２よりも長く延在しており、この延長部には摘み部３７が形成されている。摘み部３７は、第１基体２の第１外側面２２ｂ及び背部２３の背面２３ｂと同一平面の側面を有するように、第２基体３の基部３２のその他の部位よりも太くされている。摘み部３７は、第１及び第２基体２、３を開閉するのに使用することができる。但し、摘み部の形状はこれに限定されるものではなく、例えば第１及び第２基体２、３の両方に、第１及び第２基体２、３の長手方向に突出する摘み部を設けてもよい。
【００４１】
上述のルーズリーフ綴具１の使用において、第１及び第２基体２、３を接合して綴環２１、３１を閉鎖する際には、例えば第１基体２の開放側端部に最も近い綴環２の根元近傍と第２基体３の摘み部３７とを指で摘んで、第１及び第２基体２、３を閉じる。第１及び第２基体２、３を閉じて行くと、第２基体３に設けられたガイド突起３５と第１基体２に設けられたガイド穴２５が、枢着機構４側から開放側端部に向かって順次に、或いは複数設けられている内のいくつかが嵌り込むと共に、第１及び第２基体２、３の第１内側面２２ａと第２内側面３２ａ、支持面２３ａと底面３２ｂが接触して、綴環２１、３１の先端同士が整列するように案内する。
【００４２】
従来のものよりも細身で、可撓性を有する第１及び第２基体２、３は、上述のように開放側端部を摘んで第１及び第２基体２、３を閉じただけでは、一般に、長手方向に複数有する戻り止め部材３３の全てを弾発的に係合させて、両者の接合状態を達成することができない。そこで、第１及び第２基体２、３を互いの方向に更に押圧する必要がある。
【００４３】
このとき、上述のように第１及び第２基体２、３が綴環２１、３１の形成する環状形状よりも突出しているため、この突出部分Ｐを互いに指で摘んで押圧することにより、薄肉の綴環２１、３１を互いに押圧することで変形させてしまう虞なく、比較的容易に第１及び第２基体２、３の長手方向に沿って順次に戻り止め部材３３を弾発係合させ、第１及び第２基体２、３の接合状態、即ち、完全な綴環２１、３１の閉鎖状態を達成することができる。
【００４４】
第１及び第２基体２、３を接合させて綴環２１、３１を閉鎖した状態では、上述した戻り止め部材３３、第１及び第２基体の上記２つの接触面の作用により、第１及び第２基体２、３の開閉方向への撓みによって不用意に両者が開放することはない。
【００４５】
一方、綴環２１、３１を開放する際には、例えば第１基体２の開放側端部に最も近い綴環２の根元近傍と第２基体３の摘み部３７とを指で摘んで開放方向に力を加えることにより開放側端部に最も近い戻り止め部材３３の係合を解除する。そして、第１及び第２基体２、３の開放方向に力を加えると、未だ係合状態の戻り止め部材３３を支点に第１及び第２基体はそれぞれ開放方向に撓む。更に開放方向に力を加えると、撓んだ第１及び第２部材２、３の弾性復帰力をも作用して、比較的容易に枢着機構４に向かって戻り止め部材３３の係合を順次に解除して行くことができ、綴環２１、３１を開放することができる。
【００４６】
通常、上述の操作によって好適に綴環２１、３１を閉鎖させることができるが、例えばルーズリーフ綴具１にて綴じ込んだカレンダーの提供者などが、比較的大量のルーズリーフ綴具１の閉鎖作業を行う際には、綴環２１、３１を強く押圧することなく第１及び第２基体２、３の突出部分Ｐを摘んで行う閉鎖作業には煩わしさが伴うことが考えられる。図１０に示すように、例えばルーズリーフ綴具１の製造者が同時に提供することのできる閉鎖手段５によって極めて容易に閉鎖状態を達成することができる。
【００４７】
本実施例では、閉鎖手段５は、第１及び第２基体２、３の接合体の突出部分Ｐを、第１及び第２基体２、３の外側面２２ｂ、３２ｃの両側から挟持する挟持部５ａ、５ａを、連結部５ｂで背部２３の背面２３ｂ側から越えて連結するようにした構成を有する。本実施例では、挟持部５ａ、５ａは、第１及び第２基体２、３の長手方向に適当な幅を有する面にて第１及び第２外側面２２ｂ、３２ｃに接触する。
【００４８】
閉鎖手段５の使用において、はじめに少なくとも開放側端部に最も近い戻り止め部材３３を係合させる。その後、第１及び第２基体２、３の長手方向に枢着機構４に向かって連続して延在する突出部分Ｐに沿って、閉鎖手段５を滑動させる。これによって、極めて容易に、第１及び第２基体２、３を突出部分Ｐにおいて互いに押圧し、戻り止め部材３３を順次に係合させて、第１及び第２基体２、３を接合させることができる。
【００４９】
本実施例では、閉鎖手段５は、図６における幅Ｗと略同一の幅の溝を介して挟持部５ａ、５ａが連結部５ｂによって連結された、断面コの字形の部材としたが、これに限定されるものではない。例えば、第１及び第２外側面２２ｂ、３２ｃに線接触する断面円弧状の部材、バネによって挟持部５ａ、５ａ同士が閉じる方向に付勢された、所謂、洗濯ばさみ型のものなど、突出部分Ｐにて上記幅Ｗ方向に第１基体２と第２基体３とを押圧し得るものであれば構わない。但し、レールの役目を成す第１及び第２基体２、３の突出部分Ｐを滑動することが容易な構成であることが好ましい。
【００５０】
以上、本実施例のルーズリーフ綴具は、第１及び第２基体２、３を細身、軽量で柔軟なつくりとした場合にも、第１基体２と第２基体３との接合操作性に優れている。これにより、比較的少量のルーズリーフを綴じ込む場合であっても、綴じ込んだルーズリーフとの重さ、サイズなどのバランスが良く使用感に優れ、又収納時などに幅を取らず、又原料量を低減して製造コストを低減させ得るルーズリーフ綴具を提供できる。
【００５１】
実施例２
次に、本発明に係る他の実施例について説明する。図１１は、本実施例のルーズリーフ綴具１’における、上記実施例１のルーズリーフ綴具１の図６に示す断面に対応する部位の断面を示す。
【００５２】
本実施例のルーズリーフ綴具１’では、突出部分Ｐの第１基体２の側壁部の第１外側面２２ｂ及び第２基体３の第２外側面３２ｃに、第１及び第２基体２、３の長手方向に沿って溝部２７、３８が設けられているところが実施例１のルーズリーフ綴具１とは異なる。本実施例のルーズリーフ綴具１’のその他の構成は、上記実施例１と同様であるので、同一の構成、作用を有する要素には同一符号を付し、詳しい説明は省略する。
【００５３】
図１２及び図１３をも参照して更に説明すると、本実施例では、第１及び第２基体２、３を接合させて綴環２１、３１を閉鎖するために、図１３に示す、ルーズリーフ綴具１’に着脱可能な閉鎖手段５’を用いることができる。閉鎖手段５’は、溝部２７、３８に滑動可能に嵌入されて、綴環２１、３１の閉鎖状態で接合した第１及び第２基体２、３を挟持する対向方向に互いに突出した挟持部５’ａ、５’ａを有する。挟持部５’ａ、５’ａは、第１及び第２基体２、３を接合させた状態で第１基体２の背部２３を背面２３ｂ側から越えてこれらを連結する連結部５’ｂで連結される。本実施例では連結部５’ｂは断面略コの字形状とされる。
【００５４】
図１２に示すように、本実施例では、溝部２７、３８は、第１及び第２基体２、３の長手方向において、開放側端部から枢着機構４の近傍まで長手方向に連続して設けられている。本実施例では、実施例１と同様の形状の摘み部３７を有しているので、第２外側面３２ｃ側の溝部３８は連続してこの摘み部３７の端部まで設けられている。又、摘み部３７の第１外側面２２ｂ側の側面にも、第１外側面２２ｂに設けられた溝部２７に連続する若しくは整列される溝部が設けられている。
【００５５】
又、溝部２７、３８の枢着機構４側の端部には、閉鎖手段５’が枢着機構４に向かってそれ以上滑動するのを妨げるために、溝部２７、３８の底部から突出したストッパー壁２７ａ、３８ａを設けてもよい。
【００５６】
第１及び第２基体２、３を接合させて綴環２１、３１を閉鎖させる時に閉鎖手段５’を使用する場合、実施例１において閉鎖手段５を用いる場合と同様、はじめに少なくとも第１及び第２基体２、３の開放側端部に最も近い戻り止め部材３３を係合させる。その後、摘み部３７側の溝部２７、３８の端部から閉鎖手段５’の挟持部５’ａ、５’ａを滑り込ませ、枢着機構４に向かってストッパー壁部２７ａ、３８ａまで滑動させる。これにより、又、閉鎖手段５’を滑動させる途中で第１及び第２基体２、３から脱落することもなく、極めて容易に、戻り止め部材３３を順次に係合させ、第１及び第２基体２、３を接合させることができる。
【００５７】
又、図１４に示すように、固定手段として錨などを挿通することのできる錨穴５’ｃを有する吊設用補助板５’ｄを設けるなどして、上記閉鎖手段５’をルーズリーフ綴具１の吊設手段として使用することができる。つまり、ルーズリーフ綴具１’の閉鎖後に、閉鎖手段５’を溝部２７、３８の長手方向略中央に移動させるなどして、図１５に示すように、ルーズリーフＬを差し込んだルーズリーフ綴具１’を、吊設手段として機能する閉鎖手段５’によって吊り下げることができる。これにより、例えば多量のルーズリーフ綴具１’を閉鎖する作業性が向上すると共に、閉鎖手段５’は閉鎖後にはルーズリーフ綴具１’の吊設手段をも兼ねることができ、例えばカレンダー、ポスターなどの綴具として極めて有利である。
【００５８】
尚、閉鎖手段５’は、上記のものに制限されるものではなく、溝部２７、３８に嵌入される挟持部５’ａ、５’ａを連結した断面円弧状の部材などであってもよい。又、例えばバネによって挟持部５’ａ、５’ａ同士が閉じる方向に付勢された、所謂、洗濯ばさみ型のものなどであってもよい。溝部２７、３８に滑動可能に嵌入されて第１及び第２基材２、３を接合した状態で挟持し押圧する挟持部５’ａ、５’ａを有して入ればよい。又、閉鎖手段５’を綴具吊設手段として用いる場合も、図１４に示したように錨にて固定することに何ら限定されるものではなく、例えば、上記錨穴５’を介して固定手段たる吸盤が取り付けられたものを用いたり、吊設用補助板５’ｃ若しくは閉鎖手段５’自体が被固定物に係合する突起などの係止手段、或いは粘着性物質若しくは磁石などの固定手段を有していてもよい。又、ルーズリーフ綴具１’の吊設手段としてのみ使用してもよい。
【００５９】
以上、本実施例によれば、第１及び第２基体２、３を細身、軽量で柔軟なつくりとした場合にも、第１基体２と第２基体３との接合操作性が更に向上し、例えば大量のルーズリーフ綴具１’の閉鎖作業を行うような作業者にとっても極めて作業性良く閉鎖作業をすることができる。これにより、比較的少量のルーズリーフを綴じ込む場合であっても、使用感に優れ、又収納時などに幅を取らず、又製造コストを低減させ得るルーズリーフ綴具を提供できる。
【００６０】
実施例３
本実施例は、実施例２の変形例である。本実施例では、閉鎖手段（吊設手段）５’を用いる場合に、これらがルーズリーフ綴具１’から脱落するのを防止する抜け止め機構を有すると共に、第１及び第２基体２、３の開閉時には閉鎖手段５’がその操作を妨げないように待避し得る構成とする。
【００６１】
図１６は、本実施例のルーズリーフ綴具１’の第１及び第２基体２、３の開放側端部近傍を模式的に示す。図１６中綴環２１、３１、戻り止め部材３３などは省略して示すが、以下特に説明する要素を除いて、本実施例のルーズリーフ綴具１’は上記実施例２のものと同様である。
【００６２】
図１６に示すように、本実施例のルーズリーフ綴具１’は、第２基体３の開放側端部には、第１基体２よりも長手方向に長い延長部３７’が形成されている。この延長部３７’は上記各実施例における摘み部３７と同様に開閉時の摘みとして用いてよい。
【００６３】
第２基体３の第２外側面３２ｃに形成された溝部３８は、この延長部３７’まで延在して設けられている。又、延長部３７’に設けられた溝部３８の開放側端部に位置して、閉鎖手段５’が同端部方向にそれ以上滑動するのを妨げるように、抜け止め手段３９が設けられている。
【００６４】
本実施例では、抜け止め手段３９は、閉鎖手段５’が滑動の後衝合するように第２基体３の外側面３２ｃより外側に突出したストッパー面３９ａを有する突起とされる。又、この突起３９には、延長部３７’の開放側端部方向に向かって突出量が小さくなるようなテーパー面３９ｂが設けられている。これにより、別体として成形される閉鎖手段５’を最初に第２基体３に閉鎖手段５’を装着する際に、延長部３７’の開放側端部から突起３９を乗り越えて挟持部５’ａを溝部３８に嵌入させ易くなっている。一度ルーズリーフ綴具１’に装着された閉鎖手段５’は容易には脱落しない。
【００６５】
更に説明すると、第１及び第２基体２、３の長手方向において、第１基体２の開放側端部から抜け止め手段３９の閉鎖手段５’に当接するストッパー面３９ａまでの長さＬは、第１及び第２基体２、３の開閉時に閉鎖部材５’がそこに移動され、待避可能な長さに設定される。即ち、長さＬは、閉鎖手段５’の同方向長さｌ以上とする（Ｌ≧ｌ）。
【００６６】
又、閉鎖手段５’において、挟持部５’ａ、５’ａの先端同士の間隙ｇ（図１３）は、閉鎖手段５’が待避する延長部３７における同方向の最大幅Ｇ（図１１）より小さく（ｇ＜Ｇ）なるように、溝部２７、３８の深さ、挟持部５’ａの高さ或いは延長部３７’の同方向の太さなどにより設定する。閉鎖手段５’を樹脂にて一体成形などにより作製し、第１及び第２基体２、３の両溝部２７、３８に嵌入させる際に閉鎖手段５’が撓むことによって間隔ｇが広がり得る場合、間隔ｇを、第１及び第２基体２、３を接合させた状態での溝部２７、３８の底部２７ｂ、３８ｂ間の間隔より小さくすることを妨げない。
【００６７】
使用に際し、第１及び第２基体２、３を接合させて綴環２１、３１を閉鎖させる際には、閉鎖手段５’は第２基体３の延長部３７’に移動させる。そして、はじめに少なくとも第１及び第２基体２、３の開放側端部に最も近い戻り止め部材３３を係合させる。その後、閉鎖手段５’を延長部３７’から枢着機構４側へと移動させて、閉鎖手段５’の挟持部５’ａを第１基体２の溝部２７にも滑り込ませ、第１及び第２基体２、３を両溝部２７、３８側から狭持する。その後、枢着機構４に向かってストッパー壁部２７ａ、３８ａ（図１２）まで閉鎖手段５’を滑動させる。
【００６８】
通常使用時には閉鎖用具５’は溝部２７、３８の長手方向のいずれの位置にあってもよいが、例えば図１４に示したような吊設手段として機能する閉鎖手段５’を用いる場合には、綴環２１、３１の閉鎖後に閉鎖用具５’を溝部２７、３８の長手方向略中央に移動させるなどして用いればよい。
【００６９】
そして、第１及び第２基体２、３を開放する際には、閉鎖用具５’を第１及び第２基体２、３の開放側端部に向かって移動させ、第２基体３に設けられた延長部３７’に閉鎖用具５’を待避させた後、第１及び第２基体を開放する。
【００７０】
このように、一度ルーズリーフ綴具１’に装着した閉鎖手段５’を第１及び第２基体２、３の開放側端部から容易には脱落しないように、開閉時に延長部３７’に保持させることで、使用者が閉鎖手段５’を紛失することを防止して、必要時には常に閉鎖手段５’を用いることができ、極めて作業性よくルーズリーフ綴具５’を閉鎖することができる。更に、例えば図１４に示すような閉鎖手段５’を用いてルーズリーフ綴具１’の吊設手段を兼ねる場合、或いはこのような閉鎖手段５’を吊設手段としてのみ用いる場合においても、閉鎖手段５’の紛失を防止して、常にルーズリーフ綴具１’を吊設することができる。
【００７１】
尚、本実施例の特徴を分かり易くするために、図示の例では、第１及び第２基体２、３の開閉時の閉鎖手段５’の待避部としての延長部３７’は、第２基体３の基部３２を単に第１基体２よりも長手方向に延長し、溝部３８、抜け止め手段（突起）３９を設けたものとした。しかし、本発明はこれに限定されるものではなく、ルーズリーフ綴具１’の開閉の際に閉鎖手段５’を第１及び第２基体２、３のいずれかの開放側端部に設けた延長部まで滑動させて待避可能とし、且つ、閉鎖手段５’がその延長部の開放側端部から容易に脱落しないように抜け止め手段を設けた構成であればよい。
【００７２】
例えば、上記各実施例におけるように、延長部３７’を、第１基体２の第１外側面２２ｂ及び背部２３の背面２３ｂと同一平面の側面を有するように太くした摘み部とし、第２外側面３２ｃ側の溝部３８の他に、延長部３７’の第１外側面２２ｂ側の側面にも、第１外側面２２ｂに設けられた溝部２７に連続する若しくは整列される溝部が設けることができる。この場合、第１及び第２基体２、３の開閉時に、延長部３７’の両側面に設けられた溝部を介して閉鎖手段５’を延長部３７’に保持した状態で待避できるようにすることができる。
【００７３】
又、抜け止め手段は、本実施例の構成に何ら制限されず、溝部の底部に溝部から突出しない程度に設けられた突起とするなど、延長部の外周（溝部内も含む）から突出したものとすることができる。更に、抜け止め手段は、延長部の外周から突出した突起を設けることに限定されるものではない。例えば、閉鎖手段５’が待避する第１基体２或いは第２基体３の開放側端部の形状自体を、開放側端部方向への閉鎖手段５’の滑動を停止させ得るように太くするなど、任意の形態を取りうる。
【００７４】
以上、本実施例によれば、第１及び第２基体２、３を細身、軽量で柔軟なつくりとした場合にも、第１基体２と第２基体３との接合操作性が更に向上し、極めて作業性良く閉鎖作業を行い得ると共に、閉鎖用具５’の紛失を防止することができる。これにより、比較的少量のルーズリーフを綴じ込む場合であっても、使用感に優れ、又収納時などに幅を取らず、又製造コストを低減させ得るルーズリーフ綴具を提供できる。
【００７５】
【発明の効果】
以上説明したように、本発明によれば、長手方向に沿って複数の半環状綴環がそれぞれ設けられる細長形状の第１及び第２基体と、第１及び第２基体の長手方向一端部において第１及び第２基体を枢着する枢着機構と、を備え、第１及び第２基体が接合して半環状綴環が互いに衝合する閉鎖状態と、半環状綴環が開放する開放状態との間で開閉可能なルーズリーフ綴具は、半環状綴環は第１及び第２基体のそれぞれの外側面から起立して設けられており、且つ、第１及び第２基体のそれぞれの外側面は、半環状綴環の起立部より半環状綴環が閉鎖された際の環形状の外側に向かって延在する突出部を有する構成とされるので、比較的細身で柔軟な基体同士を、操作性よく互いに接合し綴環を閉鎖させることができる。
【００７６】
又、本発明によれば、第１及び第２基体の外側面には、それぞれ長手方向に延在する溝部が設けられ、且つ、第１及び第２基体のいずれか一方には、枢着機構とは反対側の長手方向端部において、他方の基体より長手方向に長い延長部が設けられ、更に、溝部のそれぞれに滑動可能に嵌入されて、半環状綴環の閉鎖状態で接合した第１及び第２基体を挟持する挟持部を備えた閉鎖手段であって、閉鎖状態から開放状態とする際には延長部に移動される閉鎖手段を有するルーズリーフ綴具をも提供し、比較的細身で柔軟な基体同士を、更に操作性よく互いに接合し綴環を閉鎖させることができる。
【００７７】
従って、本発明によれば、比較的少量のルーズリーフを綴じ込む場合にも、細身でルーズリーフとのバランスが良く使用感に優れ、収納時などに幅を取らずに製造コストをも低減させるルーズリーフ綴具を提供することができる。
【図面の簡単な説明】
【図１】本発明に係るルーズリーフ綴具の一実施例の正面図である。
【図２】図１のルーズリーフ綴具の一実施例の左側面図である。
【図３】図１のルーズリーフ綴具の開放状態を示す正面図である。
【図４】図１のルーズリーフ綴具の枢着部近傍の部分透視拡大正面図である。
【図５】図１のルーズリーフ綴具の枢着部近傍の縦断面図である。
【図６】図１におけるＡ−Ａ線断面図である。
【図７】図１におけるＢ−Ｂ線断面図である。
【図８】図１におけるＣ−Ｃ線断面図である。
【図９】図１のルーズリーフ綴具が撓む様子を示す模式図である。
【図１０】閉鎖手段の一実施例の使用状態を説明するための説明図である。
【図１１】本発明に係るルーズリーフ綴具の他の実施例における、図１のＡ−Ａ線断面図に相当する部分の断面図である。
【図１２】閉鎖手段の他の実施例の使用状態を説明するための説明図である。
【図１３】閉鎖手段の他の実施例の斜視図である。
【図１４】ルーズリーフ綴具の吊設手段として機能し得る閉鎖手段の一実施例の斜視図でる。
【図１５】吊設手段の使用状態を説明するための説明図である。
【図１６】本発明に係るルーズリーフ綴具の更に他の実施例の開放側端部近傍を示す模式的斜視図である。
【符号の説明】
１　　　ルーズリーフ綴具
２　　　第１基体
３　　　第２基体
４　　　枢着機構
５　　　閉鎖手段
５’　　閉鎖手段（吊設手段）
２１　　半環状綴環
２２　　側壁部
２３　　背部
２４　　係止溝
２５　　ガイド穴
２７　　溝部
３１　　半環状綴環
３３　　戻り止め部材
３４　　係止突起
３５　　ガイド突起
３８　　溝部
【図１】
2004042289.tif 000003
【図２】
2004042289.tif 000004
【図３】
2004042289.tif 000005
【図４】
2004042289.tif 000006
【図５】
2004042289.tif 000007
【図６】
2004042289.tif 000008
【図７】
2004042289.tif 000009
【図８】
2004042289.tif 000010
【図９】
2004042289.tif 000011
【図１０】
2004042289.tif 000012
【図１１】
2004042289.tif 000013
【図１２】
2004042289.tif 000014
【図１３】
2004042289.tif 000015
【図１４】
2004042289.tif 000016
【図１５】
2004042289.tif 000017
【図１６】
2004042289.tif 000018